(57)【要約】【課題】  小型で高速・高精度であり種々の変調方式に対応した周波数ホッピング等の通信が可能な送受信機を得る。【解決手段】  変調信号および搬送波信号を生成するダイレクトデジタルシンセサイザと、上記ダイレクトデジタルシンセサイザで生成した上記変調信号を送信する送信手段と、受信信号を受信する受信手段と、上記ダイレクトデジタルシンセサイザで生成した上記搬送波信号を用いて上記受信信号をベースバンド信号または中間周波数信号に周波数変換する受信ミクサと、帯域が可変であり上記ベースバンド信号または中間周波数信号から不要な周波数成分を抑圧するサンプリングフィルタと、を備えたことを特徴とする。【選択図】  図１
2011109518.tif 000002
【特許請求の範囲】
【請求項１】
変調信号および搬送波信号を生成するダイレクトデジタルシンセサイザと、
上記ダイレクトデジタルシンセサイザで生成した上記変調信号を送信する送信手段と、
受信信号を受信する受信手段と、
上記ダイレクトデジタルシンセサイザで生成した上記搬送波信号を用いて上記受信信号をベースバンド信号または中間周波数信号に周波数変換する受信ミクサと、
帯域が可変であり上記ベースバンド信号または中間周波数信号から不要な周波数成分を抑圧するサンプリングフィルタと、
を備えたことを特徴とする送受信機。
【請求項２】
変調信号を生成する第１のダイレクトデジタルシンセサイザと、
搬送波信号を生成する第２のダイレクトデジタルシンセサイザと、
上記第１のダイレクトデジタルシンセサイザで生成した上記変調信号を送信する送信手段と、
受信信号を受信する受信手段と、
上記第２のダイレクトデジタルシンセサイザで生成した上記搬送波信号を用いて上記受信信号をベースバンド信号または中間周波数信号に周波数変換する受信ミクサと、
帯域が可変であり上記ベースバンド信号または中間周波数信号から不要な周波数成分を抑圧するサンプリングフィルタと、
を備えたことを特徴とする送受信機。
【請求項３】
局部発振信号を生成する局部発振器と、
上記局部発振信号を用いて上記変調信号を第１中間周波数帯から無線周波数帯へ周波数変換するミクサと、
上記局部発振信号を用いて上記受信信号を無線周波数帯から第１中間周波数帯へ周波数変換するミクサと、
を備えたことを特徴とする請求項１または請求項２に記載の送受信機。
【請求項４】
上記受信信号は周波数ホッピングされた信号であることを特徴とする請求項１から請求項３のいずれかに記載の送受信機。
【請求項５】
上記受信信号はＦＭ−ＣＷ変調信号であることを特徴とする請求項１から請求項３のいずれかに記載の送受信機。
【請求項６】
受信信号を受信する受信手段と、
搬送波信号を生成するダイレクトデジタルシンセサイザと、
上記ダイレクトデジタルシンセサイザで生成した上記搬送波信号を用いて上記受信信号をベースバンド信号または中間周波数信号に周波数変換する受信ミクサと、
帯域が可変であり上記ベースバンド信号または中間周波数信号から不要な周波数成分を抑圧するサンプリングフィルタと、
を備えたことを特徴とする受信機。
【請求項７】
局部発振信号を生成する局部発振器と、
上記局部発振信号を用いて上記受信信号を無線周波数帯から第１中間周波数帯へ周波数変換するミクサと、
を備えたことを特徴とする請求項６に記載の受信機。
【請求項８】
上記受信信号は周波数ホッピングされた信号であることを特徴とする請求項６または請求項７に記載の受信機。
【請求項９】
上記受信信号はＦＭ−ＣＷ変調信号であることを特徴とする請求項６または請求項７に記載の受信機。
【発明の詳細な説明】
【技術分野】
【０００１】
この発明は、無線機等に用いられる周波数ホッピング機能等を有する送受信機に関するものである。
【背景技術】
【０００２】
図５は特許文献１に示された従来の受信機の構成を示す図である。図中、２１は周波数シンセサイザ、２２は周波数シンセサイザ２１から発振された局部発振信号を用いて変調信号を中間周波数（ＩＦ）信号に周波数変換するミクサ、２３はミクサ２２により出力されたＩＦ信号に含まれている不要な周波数成分を抑圧する帯域通過フィルタ、２４、２５はＩＦ信号の変調信号をＩ、Ｑベースバンド信号に変換する直交ミクサ、２６は局部発振信号を生成する局部発振器、２７は局部発振器２６から発振された局部発振信号の位相を９０°ずらす９０°移相器、２８、２９は直交ミクサ２４、２５による周波数変換後のベースバンド信号に含まれている不要な周波数成分を抑圧する低域通過フィルタ、３０は復調部である。
【０００３】
次に動作について説明する。受信機に入力する変調信号は周波数ホッピングされており、中心周波数が刻々と変化している。ミクサ２２は、周波数シンセサイザ２１が出力した周波数固定の局部発振信号を用いて変調信号をＩＦ信号に変換する。このときＩＦ信号は周波数ホッピングにより切り替えられる変調信号の周波数に対応して中心周波数の異なる信号に変換される。これらのＩＦ信号は中心周波数の異なる複数の帯域通過フィルタ２３に入力し、不要な周波数成分が抑圧された後、直交ミクサ２４、２５へ出力される。直交ミクサ２４、２５において、局部発振器２６により生成された局部発振信号を用いてＩＦ信号をＩ、Ｑベースバンド信号に変換する。このベースバンド信号は低域通過フィルタ２８、２９により不要な周波数成分が抑圧され、復調部３０へ出力される。復調部３０ではＩ、Ｑベースバンド信号がデータ等に復調される。
【先行技術文献】
【特許文献】
【０００４】
【特許文献１】特開平６−２１７２２号公報
【発明の概要】
【発明が解決しようとする課題】
【０００５】
しかしながら、従来技術には次のような課題がある。
従来の受信機では、周波数ホッピングによる中心周波数の異なる変調信号に対応するために中心周波数の異なる複数の帯域通過フィルタを用意する必要がある。周波数ホッピングを行う周波数範囲を広帯域化しようとすると、多くの帯域通過フィルタが必要となり回路規模が大きくなってしまう。このため、広帯域にわたって周波数ホッピングを行うことが困難である。周波数シンセサイザ２１が出力する局部発振信号の周波数を、周波数ホッピングする変調信号に合わせて変化させれば、帯域通過フィルタは１つで済むが、周波数シンセサイザの出力周波数の切り換えには数十μｓｅｃから数百μｓｅｃを要するため、高速な周波数ホッピングには対応できない。周波数ホッピングを高速にするほど通信の秘匿性は高まるが、周波数シンセサイザでは高速性に限界がある。また、ベースバンド部に周波数帯域が固定の低域通過フィルタを用いているため、ベースバンド信号帯域を可変することができない。
【０００６】
本発明は上記のような課題を解決するためになされたものであり、小型で高速・高精度であり種々の変調方式に対応した周波数ホッピング等を行うことが可能な送受信機を得ることを目的とする。
【課題を解決するための手段】
【０００７】
この発明に係る送受信機は、
変調信号および搬送波信号を生成するダイレクトデジタルシンセサイザと、
上記ダイレクトデジタルシンセサイザで生成した上記変調信号を送信する送信手段と、
受信信号を受信する受信手段と、
上記ダイレクトデジタルシンセサイザで生成した上記搬送波信号を用いて上記受信信号をベースバンド信号または中間周波数信号に周波数変換する受信ミクサと、
帯域が可変であり上記ベースバンド信号または中間周波数信号から不要な周波数成分を抑圧するサンプリングフィルタと、
を備えたことを特徴とするものである。
【発明の効果】
【０００８】
この発明によれば、ダイレクトデジタルシンセサイザ（ＤＤＳ）によって変調信号を生成することにより種々の変調方式により高速で高精度な周波数ホッピングを実現することができる。また、ＤＤＳによって生成した信号を受信部の受信ミクサの局部発振信号として用いるため、中心周波数の異なる複数の帯域通過フィルタを必要とせず、周波数ホッピングを行う周波数範囲を広帯域化できるとともに、回路を小型化できる。また、受信した変調信号をベースバンド周波数に変換し、周波数変換した信号に含まれる不要な周波数成分を抑圧するフィルタにサンプリングフィルタを用いているため、ベースバンド周波数帯域を可変することができ、種々の変調方式の信号を送受信することができる効果がある。
【図面の簡単な説明】
【０００９】
【図１】この発明の実施の形態１による送受信機を示す構成図
【図２】この発明の実施の形態２による送受信機を示す構成図
【図３】この発明の実施の形態３による送受信機を示す構成図
【図４】この発明の実施の形態４による送受信機を示す構成図
【図５】従来の受信機を示す構成図
【発明を実施するための形態】
【００１０】
実施の形態１．
図１は、この発明の実施の形態１に係わる送受信機を示す構成図である。図中、１は変調信号および搬送波信号を生成するダイレクトデジタルシンセサイザ（ＤＤＳ）、２はＤＤＳの出力に含まれる不要な周波数成分を抑圧する帯域通過フィルタ、３は送信信号の電力を増幅する電力増幅器、４は送信手段であるアンテナ、５は受信手段であるアンテナ、６は受信信号の電力を増幅する低雑音増幅器、７は受信信号に含まれる不要な周波数成分を抑圧する帯域通過フィルタ、８、９は受信信号をＩ、Ｑベースバンド信号に変換する受信ミクサである直交ミクサ、１０、１１は直交ミクサ８、９からの出力信号に含まれる不要な周波数成分を抑圧するサンプリングフィルタ、１２は復調部である。
【００１１】
次に動作について説明する。図１の送受信機が送信機として動作するとき、ダイレクトデジタルシンセサイザ（ＤＤＳ）１は周波数ホッピングされた変調信号を生成する。ダイレクトデジタルシンセサイザ（ＤＤＳ）は外部からクロックと位相データを入力することで任意の位相の信号を出力することができる。これを利用して、任意の周波数の正弦波を発生する回路として、また位相変調器や周波数変調器などとして用いられる。ＤＤＳの位相の設定精度Δθ（度）は、位相データの設定ワードのビット長Ｌにより次式で与えられる。
Δθ＝３６０／２Ｌ                                  ・・・式（１）
例えば、Ｌ＝１６ビットとすると、Δθ＝０．００５５度となり、非常に高精度な位相設定が可能である。
【００１２】
また、周波数の設定精度ΔＦはＤＤＳに入力するクロックの周波数ｆＣＬＫと、前記の設定ワードのビット長Ｌにより次式で与えられる。
ΔＦ＝ｆＣＬＫ／２Ｌ                                  ・・・式（２）
例えば、ｆＣＬＫ＝１００ＭＨｚ、Ｌ＝１６ビットとすると、ΔＦ＝１．５２６ｋＨｚとなり、非常に細かなステップで周波数を可変できることになる。
さらにＤＤＳでは、デジタル処理により直接的に正弦波等の信号を生成するため、予め与えた位相データにより瞬時に所定の周波数の信号を出力することができる。すなわち周波数切り替え時などにおける周波数設定に必要な時間を、ＰＬＬ（Phase Locked Loop）シンセサイザ等と比べてはるかに短くできる。
【００１３】
周波数ホッピングでは、通信するデータ等によって変調された信号の中心周波数を、所定の時間ごとに順次異なる周波数に切り替えて通信を行う。変調には、例えば、振幅変調、位相変調、周波数変調、およびこれらを組み合わせた変調などの種々の方式を用いることができる。図１では、周波数ホッピングされた変調信号をＤＤＳ１により生成しているので、設定周波数のデータを外部位相データとして入力すればよく、高速で周波数精度の高い周波数ホッピングを容易に行うことができる。また周波数切り替えに要する時間も非常に短くできるので、周波数切り替え時の周波数不安定さによりデータ送信が不可能となる時間も非常に少なくでき、効率のよいデータ送信ができる。さらに種々の変調方式や種々の変調帯域の送信信号を容易に生成することができる。
このようにして生成された変調信号は、帯域通過フィルタ２に入力され、ＤＤＳ１で発生した不要な周波数成分が抑圧される。この変調信号は、さらに電力増幅器３において電力が増幅された後、アンテナ４より送信される。
【００１４】
次に、図１の送受信機が受信機として動作するときの説明を行う。
アンテナ５は周波数ホッピングされた受信信号を受信する。この受信信号は、低雑音増幅器６により電力が増幅され、帯域通過フィルタ７により不要な周波数成分が抑圧された後、２分配され直交ミクサ８、９へそれぞれ出力される。受信時には、ＤＤＳ１は周波数ホッピングされた無変調の信号である搬送波信号を生成する。この搬送波信号も２分配されて直交ミクサ８、９へそれぞれ出力される。このとき、図１では図示されていないが、２分配された後の一方の回路には、図５と同様に搬送波信号の位相を９０°ずらす９０°移相器が配置されており、直交ミクサ８、９に入力する搬送波信号はお互いの位相が９０°ずれている。直交ミクサ８、９ではＤＤＳ１から入力される搬送波信号を局部発振信号として用いて、帯域通過フィルタ７からの受信信号をＩ、Ｑそれぞれのベースバンド信号に周波数変換する。
【００１５】
受信時において、直交ミクサ８、９の局部発振信号である搬送波信号をＤＤＳ１で生成しているので、高速で周波数精度の高い搬送波信号が得られる。したがって、周波数変換も精度良く行うことができる。また周波数切り替えに要する時間も非常に短くできるので、周波数切り替え時の周波数不安定さによりデータ受信が不可能となる時間も非常に少なくでき、効率のよいデータ受信ができる。さらに種々の変調方式や種々の変調帯域に対応した搬送波信号を容易に生成することができる
【００１６】
こうして直交ミクサ８、９により変換されたＩ、Ｑそれぞれのベースバンド信号は、サンプリングフィルタ１０、１１に入力する。サンプリングフィルタ１０、１１はＩ、Ｑベースバンド信号に含まれる不要な周波数成分を抑圧し、復調部１２へ出力する。
【００１７】
サンプリングフィルタは、スイッチドキャパシタ技術を用いた特性可変のフィルタである。サンプリングフィルタには複数のコンデンサ（キャパシタ）が内蔵されており、コンデンサに接続されたスイッチを周期的に開閉することによってコンデンサが充放電され、電荷の移動に伴う電流が流れる。スイッチの開閉により充放電するコンデンサを切り換えることで電荷の移動、すなわち電流を制御して、フィルタ特性を実現することができる。フィルタの通過域や遮断域はスイッチの開閉周期に依存するが、この開閉は外部から入力するサンプリングクロックで制御するので、サンプリングクロックの周波数を変えるとスイッチの開閉周期も変化し、この結果、サンプリングフィルタの通過帯域や減衰帯域を可変とすることができる。
【００１８】
受信信号には雑音や不要波が含まれているので、直交ミクサ８、９から出力されたベースバンド信号のうち、その変調方式の変調帯域に応じた周波数帯域の信号のみを残し、他の不要な周波数成分は抑圧する必要がある。図１の送受信機では、このベースバンドフィルタにサンプリングフィルタ１０、１１を用いているので、サンプリングクロックの周波数を変更することでフィルタの帯域を可変することができる。したがって、種々の帯域の変調信号に対応することができる。
【００１９】
不要な周波数成分が抑圧されたＩ、Ｑベースバンド信号は復調部１２へ入力し、復調部１２において、データ等に復調される。
【００２０】
以上のように、本実施の形態では、変調信号および搬送波信号生成にＤＤＳ１を用いているため高速で高精度であり種々の変調方式に対応した周波数ホッピングを行うことが可能である。また、ＤＤＳ１によって生成された信号を受信部の直交ミクサ８、９の局部発振信号として用い、受信信号をベースバンド周波数に変換し、周波数変換した信号に含まれる不要な周波数成分を抑圧するフィルタにサンプリングフィルタ１０、１１を用いることで、ベースバンド周波数帯域を可変することができ、高速で高精度であり種々の変調方式に対応した受信や復調を行うことができる。さらに、従来の受信機で用いていた中心周波数の異なる複数の帯域通過フィルタを必要としないため、小型な周波数ホッピング送受信機を得られる効果がある。
【００２１】
なお、実施の形態１では、送信手段である送信用のアンテナ４と受信手段である受信用のアンテナ５を別々に設けているが、これらを１つの送受共用アンテナとすることもできる。この場合、送信する変調信号と受信信号を分離するために、分波器やスイッチなどを用いても良い。
【００２２】
また、実施の形態１では、送信手段および受信手段としてアンテナ４、５を設けた場合を示したが、必ずしもアンテナを内蔵する必要はなく、送信信号を後段の回路に送信するコネクタや、受信信号を前段の回路から受信するコネクタ、あるいはこれらを共用した送受信共用コネクタなどを用いても良い。
【００２３】
さらに、実施の形態１では、ＤＤＳ１によって生成し直交ミクサ８、９に入力する局部発振信号を、受信信号と同じ周波数にして、ベースバンド検波する場合を示したが、本発明はこれに限らず、ＤＤＳ１によって生成する局部発振信号を、受信信号とは異なる周波数にすることもできる。この場合、直交ミクサ８、９から出力される信号はベースバンド信号ではなく中間周波数（ＩＦ）信号となる。また、サンプリングフィルタ１０、１１は低域通過フィルタではなく、ＩＦ信号の周波数に対応した帯域通過フィルタを用いることができる。帯域通過型のサンプリングフィルタにおいても周波数帯域を容易に可変することができる。したがってこの場合も、同様に本実施例の効果が得られる。
【００２４】
また、実施の形態１では、受信信号を２分配し、２つの直交ミクサ８、９によりＩ、Ｑそれぞれの検波を行う場合を示したが、本発明はこれに限らず、受信ミクサを１つとし、それに接続するサンプリングフィルタも１つとしても良い。変調方式によってはＩ、Ｑ２系統の検波を行う必要はなく、１系統の検波回路でも検波することがでる。この場合も同様に本実施例の効果が得られる。なお、このときベースバンド検波を用いてもＩＦ検波を用いても良いことは明らかである。
【００２５】
さらに、実施の形態１では周波数ホッピングを用いた通信を行う場合の説明を行ったが、本発明はこれに限らず、例えばＦＭ−ＣＷ（Frequency Modulated - Continuous Wave）変調を用いた方式などの通信を行うこともできる。ＦＭ−ＣＷでは、時間とともに三角波状に周波数が変化する変調信号および搬送波信号を用いて送受信を行う。主に、レーダシステムなどに適用される。この場合もＤＤＳ１によって周波数精度のよい信号を生成でき、サンプリングフィルタ１０、１１により種々の帯域に対応した不要波抑圧が行えるので、本実施例の効果を同様に得ることができる。
【００２６】
実施の形態２．
図２は、この発明の実施の形態２に係わる送受信機を示す構成図である。図中、１３はＤＤＳ１から出力される第１中間周波数のＩＦ信号を局部発振器１５から出力された局部発振信号を用いてＲＦ（Radio Frequency）信号へ周波数変換するミクサ、１４は受信したＲＦ信号を局部発振器１５から出力された局部発振信号を用いて第１中間周波数のＩＦ信号へ周波数変換するミクサ、１５は局部発振器である。なお、図１に示す実施の形態１と相当する構成要素については同一の番号を付して説明を省略する。
【００２７】
次に動作について説明する。送信時には、ＤＤＳ１は第１中間周波数であるＩＦ帯の変調信号を生成し、ミクサ１３へ出力する。ミクサ１３において、ＤＤＳ１で生成されたＩＦ帯の信号は、局部発振器１５から出力された局部発振信号を用いてＲＦ信号へ周波数変換される。周波数変換されたＲＦ信号は、帯域通過フィルタ２において不要な周波数成分が抑圧され、さらに電力増幅器３において電力が増幅された後、アンテナ４より送信される。
【００２８】
受信時には、アンテナ５により受信されたＲＦ帯の受信信号は、低雑音増幅器６により増幅され、帯域通過フィルタ７により不要な周波数成分が抑圧された後、ミクサ１４へ出力される。ミクサ１４において、帯域通過フィルタ７より出力されたＲＦ帯の受信信号は、局部発振器１５から出力された局部発振信号を用いて第１中間周波数であるＩＦ帯の信号へ周波数変換される。このＩＦ帯の信号は２分配され直交ミクサ８、９へそれぞれ出力される。受信時にはＤＤＳ１はＩＦ帯の搬送波信号を生成し、直交ミクサ８、９へ出力する。このとき、図示されていない９０°移相器により、直交ミクサ８、９へ入力する搬送波信号の位相は互いに９０°ずれている。直交ミクサ８、９では、ＤＤＳ１から入力されるＩＦ帯の搬送波信号を局部発振信号として用いて、ＩＦ帯となった受信信号をＩ、Ｑそれぞれのベースバンド周波数に周波数変換し、サンプリングフィルタ１０、１１へ出力する。サンプリングフィルタ１０、１１において、直交ミクサ８、９により周波数変換されたＩ、Ｑベースバンド周波数信号は、不要な周波数成分が抑圧され、復調部１２へ出力される。
【００２９】
実施の形態２においても、実施の形態１と同様に、小型で高速・高精度であり種々の変調方式に対応した周波数ホッピング等を行うことが可能な送受信機が得られる効果がある。
【００３０】
なお、ＤＤＳ１が生成することのできる信号の周波数は、数百ＭＨｚ程度の比較的低い周波数までである。しかし、本実施の形態では、ミクサ１３において、局部発振器１５からの局部発振信号を用いて、ＤＤＳ１により生成されるＩＦ信号をＲＦ信号へ周波数変換するため、アンテナ４から送信する無線の周波数を高周波にすることができる。また、アンテナ５で受信する受信信号も、ミクサ１４において、局部発振器１５からの局部発振信号を用いて、ＲＦ信号からＤＤＳ１により生成される搬送波信号と同じ周波数帯域であるＩＦ信号へ周波数変換するため、アンテナ５で受信する無線の周波数を高周波にすることができる。このように、本実施の形態２では、マイクロ波通信やミリ波通信などの高周波帯通信に適用できる送受信機が得られる効果がある。
【００３１】
また、実施の形態２において、受信時にミクサ１４から出力される第１中間周波数であるＩＦ帯の受信信号と、ＤＤＳ１が生成する第１中間周波数であるＩＦ帯の搬送波信号の周波数を変えてもよい。この場合、直交ミクサ８、９からはベースバンド周波数信号ではなく第２中間周波数（ＩＦ）信号が出力されるが、サンプリングフィルタ１０、１１を第２中間周波数に対応した帯域通過型のフィルタとすればよく、上述と同様の効果が得られる。
【００３２】
実施の形態３．
図３は、この発明の実施の形態３に係わる送受信機を示す構成図である。図中、１６は変調信号を生成する第１のＤＤＳ、１７は搬送波信号を生成する第２のＤＤＳである。なお、図１に示す実施の形態１と相当する構成要素については同一の番号を付して説明を省略する。
【００３３】
本実施の形態は、実施の形態１に対して、変調信号生成用のＤＤＳ１６と搬送波信号生成用のＤＤＳ１７とを別々に設けたことが異なっている。変調信号生成用のＤＤＳ１６から生成された変調信号は送信に、搬送波信号生成用のＤＤＳ１７から生成された搬送波信号は受信にそれぞれ使用される。ＤＤＳ１６とＤＤＳ１７は共通のクロックでタイミングが制御されている。
【００３４】
実施の形態３においても、実施の形態１と同様の効果が得られることは明らかである。
【００３５】
さらに実施の形態３では、変調信号生成用のＤＤＳ１６と搬送波信号生成用のＤＤＳ１７とを別々に設けているので、互いに異なる変調信号と搬送波信号を同時に生成することができる。このとき、変調信号と搬送波信号との周波数を変えることもできる。したがって、変調信号の送信と受信信号の受信とを同時に行うことができる送受信機が得られる効果がある。
【００３６】
なお、本実施の形態３である図３において、送信機能に関連する第１のＤＤＳ１６、帯域通過フィルタ２、電力増幅器３、アンテナ４を全て無くした場合、受信機能のみを有する受信機が得られる。このような受信機においては、搬送波信号を生成するＤＤＳ１７と帯域が可変のサンプリングフィルタ１０、１１を設けているため、小型で高速・高精度であり種々の変調方式に対応した周波数ホッピング等を行うことが可能な受信機が得られる効果がある。
【００３７】
実施の形態４．
図４は、この発明の実施の形態４に係わる送受信機を示す構成図である。図２、３に示す実施の形態２、３と相当する構成要素については同一の番号を付して説明を省略する。
本実施の形態は、実施の形態２に対して、変調信号生成用の第１のＤＤＳ１６と搬送波信号生成用の第２のＤＤＳ１７とを別々に設けている。
【００３８】
実施の形態４においても、実施の形態２と同様に高周波に対応できる送受信機が得られる効果があることは明らかである。
【００３９】
さらに実施の形態４では、変調信号生成用のＤＤＳ１６と搬送波信号生成用のＤＤＳ１７とを別々に設けているので、変調信号の送信と受信信号の受信とを同時に行うことができる送受信機が得られる効果がある。
【００４０】
なお、本実施の形態４である図４において、送信機能に関連する第１のＤＤＳ１６、ミクサ１３、帯域通過フィルタ２、電力増幅器３、アンテナ４を全て無くした場合、受信機能のみを有する受信機が得られる。このような受信機においても、高周波の受信信号に対応でき、かつ、小型で高速・高精度であり種々の変調方式に対応した周波数ホッピング等を行うことが可能な受信機が得られる効果がある。
【符号の説明】
【００４１】
１  ダイレクトデジタルシンセサイザ、２  帯域通過フィルタ、３  電力増幅器、４、５  アンテナ、６  低雑音増幅器、７  帯域通過フィルタ、８、９  直交ミクサ、１０、１１  サンプリングフィルタ、１２  復調部、１３、１４  ミクサ、１５  局部発振器、１６、１７  ダイレクトデジタルシンセサイザ、２１  周波数シンセサイザ、２２  ミクサ、２３  帯域通過フィルタ、２４、２５  直交ミクサ、２６  局部発振器、２７  ９０°移相器、２８、２９  低域通過フィルタ、３０  復調部
【図１】
2011109518.tif 000003
【図２】
2011109518.tif 000004
【図３】
2011109518.tif 000005
【図４】
2011109518.tif 000006
【図５】
2011109518.tif 000007